Podtech/llm-jp-corpus-v4-ja_patent huggingface dataset:
(57)【要約】【課題】寺又は墓地における水収納体からの蚊の発生を効果的に防止する。【解決手段】粒状の成長抑制剤（３）を水中に備えていることを特徴とする寺又は墓地における水収納体（１）。水収納体（１）には、墓石（５）に設けられた花立て（１ａ）、墓石（５）に形成された凹部（１ｂ）、天水桶（１ｃ）等が含まれる。粒状の成長抑制剤（３）は、錠剤又は顆粒とする。成長抑制剤（３）としては、好ましくは、ＩＧＲ成長抑制ホルモン剤を使用する。このＩＧＲ成長抑制ホルモン剤は、ボウフラの成長を抑制して成虫になることを阻止するものである。【選択図】図１
0003110214.tif 000002
【実用新案登録請求の範囲】
【請求項１】
粒状の成長抑制剤を水中に備えていることを特徴とする寺又は墓地における水収納体。
【考案の詳細な説明】
【技術分野】
【０００１】
本考案は、寺又は墓地における水収納体に関するものであり、特に蚊の発生を防止し得るようにした水収納体に係るものである。
【０００２】
本考案における「水収納体」には、墓石に設けられた花立て、墓石に形成された凹部、天水桶等が含まれる。
【背景技術】
【０００３】
寺又は墓地における水収納体は、従来より広く知られている。
【０００４】
特開平９−２０２７０３号公報は、昆虫成長抑制剤を開示している。
【特許文献１】特開平９−２０２７０３号公報
【考案の開示】
【考案が解決しようとする課題】
【０００５】
寺又は墓地における水収納体は、しばしば蚊の発生源となる。即ち、これらの水収納体には、しばしば蚊が産卵し、これがやがてボウフラを経て蚊となる。
【０００６】
このように、寺又は墓地における水収納体は、蚊の大きな発生源となり、人々に多大な迷惑をかけているにもかかわらず、寺等は、宗教上の理由等により、蚊の殺生を勧めることができず、専ら近隣の人々の自発的な蚊の駆除に頼らざるを得ないのが実情である。
【０００７】
しかるに、蚊は卵から羽化するまでの期間が短いため、蚊の発生を阻止することは困難である。
【０００８】
このような状況に鑑み、本考案は、寺又は墓地における水収納体からの蚊の発生を効果的に防止しようとしてなされたものである。
【課題を解決するための手段】
【０００９】
上記課題を解決するために、本考案は、下記の寺又は墓地における水収納体を提供するものである。
【００１０】
即ち、本考案は、粒状の成長抑制剤を水中に備えていることを特徴とする寺又は墓地における水収納体を提供する。
【００１１】
［作用］
寺又は墓地における水収納体内の水中には、例えば墓参等の際に、墓参者が適宜、粒状の成長抑制剤を投入する。粒状の成長抑制剤は、一例として、年３〜４回、水収納体内の水中に投入することにより、年間を通して蚊の発生を防止することができる。
【００１２】
水収納体内の水中に投入された粒状の成長抑制剤は、例えば、水収納体内における水中の底部に沈み、成長抑制剤の成分が徐々に水中に浸出し、ボウフラの成長を抑制して蚊の発生を防止する。
【考案の効果】
【００１３】
本考案による寺又は墓地における水収納体は、粒状の成長抑制剤を水中に備えているため、蚊の発生を効果的に防止することができる。
【考案を実施するための最良の形態】
【００１４】
本考案による寺又は墓地における水収納体１は、粒状の成長抑制剤３、３・・・を水中に備えている。符号２に示すものは水収納体１内に収納された水であり、この水２中に粒状の成長抑制剤３、３・・・が投入される。
【００１５】
成長抑制剤３としては、好ましくは、人体に影響のないＩＧＲ成長抑制ホルモン剤を使用する。このＩＧＲ成長抑制ホルモン剤は、ボウフラの成長を抑制して成虫になることを阻止するものである。
【００１６】
成長抑制剤３は、例えばトリフルムロン剤、ピリプロキシフェン剤等のＩＧＲであってもよい。
【００１７】
粒状の成長抑制剤３は、錠剤又は顆粒とする。
【００１８】
図１に示す事例における水収納体１は、墓石５に設けられた花立て１ａである。花立て１ａには、花７が供えられている。
【００１９】
図２は、水収納体１として、墓石５に設けられた花立て１ａ、１ａと、墓石５に形成された凹部１ｂとを示している。
【００２０】
図３に示す事例における水収納体１は、天水桶１ｃである。この天水桶１ｃは、上端に網状の蓋体９を供えている。
【図面の簡単な説明】
【００２１】
【図１】水収納体としての花立てを示す断面図である。
【図２】水収納体としての花立てと凹部とを示す正面図である。
【図３】水収納体としての天水桶を示す一部切欠正面図である。
【符号の説明】
【００２２】
１  水収納体
１ａ  花立て
１ｂ  凹部
１ｃ  天水桶
２  水
３  成長抑制剤
５  墓石
７  花
９  蓋体
【図１】
0003110214.tif 000003
【図２】
0003110214.tif 000004
【図３】
0003110214.tif 000005
【手続補正書】
【提出日】平成17年3月15日(2005.3.15)
【手続補正１】
【補正対象書類名】実用新案登録請求の範囲
【補正対象項目名】全文
【補正方法】変更
【補正の内容】
【実用新案登録請求の範囲】
【請求項１】
ボウフラの成長を抑制する粒状の成長抑制剤を水中に備えていることを特徴とする寺又は墓地における水収納体。
(57)【要約】      （修正有）【課題】本を捲るようにスクリーントーン用紙を探し出したり、スクリーントーン用紙の通し番号別に整理整頓したり、スクリーントーン用紙の在庫の確認がしやすくなる，２穴パンチ式穴空きスクリーントーン用紙を提供する。【解決手段】スクリーントーン用紙の左右脇の中程に、２穴パンチと同様の２穴を開ける事で、２穴パンチ用のファイルやバインダーにとめる事が可能に成り、縦に整理整頓出来る様に成り、本を捲るように１枚１枚軽く探せる様に成る。又、上に上に重ねて保管していると、使用したスクリーントーン用紙を、元の有った場所に戻す事が大変だが、２穴パンチ用のファイルやバインダーならば、簡単に元の場所に戻す事が出来る様に成り、整理整頓も在庫状況の把握も容易に成る。【選択図】図１
0003110217.tif 000002
【実用新案登録請求の範囲】
【請求項１】
スクリーントーン用紙の左右脇に２穴パンチの穴を開け、スクリーントーン用紙の通し番号順に、２穴パンチ用のファイルもしくはバインダーに整理整頓し易く加工したスクリーントーン用紙。
【考案の詳細な説明】
【技術分野】
【０００１】  本考案は、スクリーントーン用紙の左右脇に、２穴パンチの穴を開けた、スクリーントーン用紙に関するものである。
【背景技術】
【０００２】  スクリーントーン用紙には、穴が開いておらず、通常スクリーントーン用紙別に、引き出しに重ねて入れて保管している。
【考案の開示】
【考案が解決しようとする課題】
【０００３】  スリートーン用紙をおおまかな種類に別けて引き出しに重ねて保管していると、探し出すのに、結局１枚１枚持ち上げないと確認ができないし、スクリーントーン用紙の在庫状況も把握しにくいという欠点を解決しようとするものである。
【課題を解決するための手段】
【０００４】  本考案は、スクリーントーン用紙の左右脇に２穴パンチの穴を開けておく事によって２穴パンチ用のファイルやバインダーにとめる事が可能に成る。
【考案の効果】
【０００５】  上述の様に、２穴パンチ用のファイルやバインダーにとめる事が可能に成ると、本棚等に立てかけて保管出来るように成るし、本を捲るようにスクリーントーン用紙を探し出したり、スクリーントーン用紙の通し番号別に整理整頓したり、スクリーントーン用紙の在庫の確認がしやすくなる。
【考案を実施するための最良の形態】
【０００６】  スクリーントーン用紙の左右脇の中ほどに２穴パンチの穴と同様の２穴を開ける。
【実施例】
【０００７】  以下、添付図面に従って一実施例を説明する。１はスクリーントーン用紙、２は開けた２穴パンチと同様の穴、これに依り２穴パンチ用のファイルやバインダーにとめる事が可能に成る。
【産業上の利用可能性】
【０００８】  スクリーントーン用紙の実際の利用者が、無数に存在するスクリーントーン用紙の在庫を簡単に把握出来るように成り、製造されるスクリーントーン用紙が円滑に運用される様に成るし、且つ２穴パンチ用のファイルやバインダーの製造数の増量が見込まれる。また、利用者である漫画家やイラストレーターのスクリーントーン用紙の利便性は格段に向上する事に成る。
【図面の簡単な説明】
【０００９】
【図１】本考案の２穴パンチ式穴空きスクリーントーン用紙の正面図である。
【図２】２穴パンチ用のファイルやバインダーにとめた状態を示した図である。
【符号の説明】
【００１０】１  スクリーントーン用紙
２  ２穴パンチと同様に開けられた２穴
３  ２穴パンチ用のファイルもしくはバインダー
【図１】
0003110217.tif 000003
【図２】
0003110217.tif 000004
(57)【要約】      （修正有）【課題】ベルトを外したことを検知するセンサを持つＧＰＳ携帯電話を提供する。【解決手段】腕時計の着脱部に取外しセンサを取り付け、また、複数の魚眼レンズを設置し広範囲の撮影を可能にし、腕時計が取外された時に、登録してある緊急連絡先に画像や位置情報を通報できる、ＧＰＳセキュリティ腕時計型携帯電話が実現できる。【選択図】図１
0003110219.tif 000002
【実用新案登録請求の範囲】
【請求項１】
身体からの取外しセンサを搭載することを特徴とするＧＰＳセキュリティ携帯電話。
【請求項２】
魚眼レンズまたは広角レンズを持つカメラを１つ以上搭載することを特徴とする実用新案登録請求の範囲１記載のＧＰＳセキュリティ携帯電話。
【請求項３】
腕時計型であることを特徴とする実用新案登録請求の範囲１記載のＧＰＳセキュリティ腕時計型携帯電話。
【請求項４】
魚眼レンズまたは広角レンズを持つカメラを１つ以上搭載することを特徴とする実用新案登録請求の範囲３記載のＧＰＳセキュリティ腕時計型携帯電話。
【考案の詳細な説明】
【技術分野】
【０００１】本考案はＧＰＳ携帯電話に関するものである。
【背景技術】
【０００２】ＧＰＳ携帯電話は既に位置を特定するのに大いに役立っている。また、セキュリティ確保のためのＧＰＳ携帯電話は既に存在している。用途は、徘徊老人や、子供のセキュリティ確保のためである。腕時計型携帯電話も既に存在している。カメラを搭載した携帯電話も既に存在している。カメラ付ＧＰＳセキュリティ腕時計型携帯電話も既に技術的に可能である。
【考案の開示】
【考案が解決しようとする課題】
【０００３】子供のいじめや誘拐事件が全世界で発生している。徘徊老人は老齢化社会においては大きな問題である。普通のＧＰＳ携帯電話の欠点は、落としたり、取り上げられたりするとセキュリティの機能を果たせなくなる点にある。誘拐犯が子供からＧＰＳ携帯を取り上げてしまう状況や、老人がＧＰＳ携帯を捨ててしまう等、ＧＰＳセキュリティ携帯または腕時計型ＧＰＳ携帯電話にはこのような欠点があった。
【課題を解決するための手段】
【０００４】本考案は腕時計のベルトを外したことを検知するセンサを持つことを１つの特徴とする。センサは腕時計のベルトにつけた単純なスイッチでも良いし生体反応（例えば、脈拍など）を検知する高度なセンサでも良い。このセンサでＧＰＳセキュリティ腕時計型携帯電話が体から外れたことを検知すると、あらかじめ登録してある緊急連絡先に通報する。登録してある緊急連絡先は複数でも良い。通報はメールでも良いし通話でも良いし携帯電話にできる任意の通信でよい。通信の内容は任意であるが、位置情報を含ませても良い。【０００５】さらに、子供の誘拐事件に関するセキュリティを高めるために、生体からＧＰＳ携帯が外れたことをセンサが検知すると写真を自動的に送信しても良い。一般的にカメラ付携帯は平面的に撮影するが、これでは何処に犯人がいるか分からない状況では不十分である。撮影範囲の広い魚眼レンズをつけるのが適している。魚眼レンズは１つでもよいが複数つけるのがより適している。しかし、これはセキュリティのニーズによる。一般的には２つくらいで十分と思われるが、以降複数の魚眼レンズと一般化して説明する。【０００６】本考案は複数の魚眼レンズを持つＧＰＳセキュリティ腕時計型携帯電話であることも１つの特徴とする。魚眼レンズは平面的に直すと像が歪むので特殊目的に使われている。しかし、これは部分的に平面に近似することが可能である。セキュリティの緊急時には広い範囲をもれなく撮影することが必要であり、証拠能力も高い。デジタル画像を受信した側で平面に近似して分析すればよいし、これで十分である。腕時計のベルトを外したことを検知すると、複数の魚眼レンズで周囲の状況を直ちに撮影し、あらかじめ登録してある緊急連絡先に画像を送信する。【０００７】通常の携帯電話の役割を果たすことを同時に考えれば腕時計型が適切であるが、特に腕に限定される訳ではなく、足とか胴体とか頭とか首とか任意の場所に携帯してもかまわない。【０００８】画像のほかに、周囲の音や気温など採取可能な任意のデータを送っても良い。【０００９】この他に、緊急通信ボタンを設けても良い。このボタンを押すと、セキュリティ上の危険状態を認知して、緊急通信をする。通信の内容は任意でよいが、位置情報や写真情報を含ませてよい。【００１０】セキュリティ上のことを考慮すると本考案では位置情報を定期的に、例えば５分間隔で、特定の相手に通信しても良い。時間間隔はセキュリティ上の要求水準に従って任意でよい。
【考案の効果】
【００１１】本考案はこのような構造であるので、例えば、誘拐事件であれば子供が緊急ボタンを押せる、多くの場合は緊急ボタンを押せる状況にはならないと思われるが、その場合位置情報が分かる、もし、犯人が腕時計型ＧＰＳセキュリティ携帯電話を取外すと緊急通信がなされる。これにより、子供のセキュリティが向上し、徘徊老人のセキュリティが向上する。
【考案を実施するための最良の形態】
【実施例】
【００１２】図１の１００のように腕時計型で実現できる。腕時計のベルトの取外し場所にスイッチ１０１を設け、取外しセンサとする。この例では２つの魚眼レンズ１０２，１０３を設置している。１０２、１０３はそれぞれ反対方向を向いて設置されており大きな撮影エリアを確保できる。非常通信用に緊急ボタン１０４がついている。普通の電話としても役立つように通話用スピーカ１０５、通話用マイク１０６を備えている。電話の通話状態と切断状態を切り替えるための通話ボタン１０７、切断ボタン１０８を持つ。電話の表示部１０９、及び時計の表示部１１０を持つ。【００１３】本考案においては１０１、１０２，１０３以外はオプションであり必要において実装すればよい。
【産業上の利用可能性】
【００１４】本考案はこのような構造なので、子供のいじめや誘拐事件および徘徊老人のセキュリティの向上やセキュリティの確保に利用できる。
【図面の簡単な説明】
【００１５】
【図１】本考案の一実施形態を示す。
【符号の説明】
【００１６】１００  取外しセンサ及び魚眼レンズ付ＧＰＳセキュリティ腕時計型携帯電話、１０１  取外しセンサ、１０２、１０３  魚眼レンズ、１０４  緊急通報ボタン、１０５  電話用スピーカ、１０６  電話用マイク、１０７  通話ボタン、１０８  切断ボタン、１０９  電話表示部、１１０  時計表示部。
【図１】
0003110219.tif 000003
(57)【要約】【課題】  外見上違和感なく、また食慾を損なうことなく食することのできる健康食品となした竹炭パウダー入りラーメンの提供。【解決手段】  小麦粉、食塩、かんすいなどの全体重量に対し、凡そ２％〜３％の竹炭パウダーを混入して練り合わせ製造される竹炭パウダー入りラーメンと、竹炭パウダーを入れないで製造される普通ラーメンとを、前者の１０％〜３０％、後者の９０％〜７０％の割合いで組合せる。このさい、普通ラーメンは小麦粉、食塩、かんすい、くちなし、卵、乾燥卵白を練り合わせて製造されるものであり、また上記竹炭入りラーメンと、普通麺とを７０ｇ〜９０ｇの範囲で組合せ、一束の単位になされる。【選択図】      図３
0003110251.tif 000002
【実用新案登録請求の範囲】
【請求項１】
小麦粉、食塩、かんすいなどの全体重量に対し、凡そ２％〜３％の竹炭パウダーを混入して練り合わせ製造される竹炭パウダー入りラーメンと、竹炭パウダーを入れないで製造される普通ラーメンとを、前者の１０％〜３０％、後者の９０％〜７０％の割合いで組合せたことを特徴とする乾麺。
【請求項２】
上記普通ラーメンは小麦粉、食塩、かんすい、くちなし、卵、乾燥卵白を練り合わせて製造されるものとなされることを特徴とした請求項１記載の乾麺。
【請求項３】
上記竹炭入りラーメンと、普通麺とを７０ｇ〜９０ｇの範囲で組合せ、一束の単位になされることを特徴とした請求項１又は２記載の乾麺。
【考案の詳細な説明】
【技術分野】
【０００１】
本考案は竹炭パウダーを混入させたラーメンに関する。
【背景技術】
【０００２】
今日、良質なミネラルに珪素、カリウムの含有量の多い健康食品たり得る竹炭が注目され、竹炭を粉砕したパウダー（粉末化）となし、このパウダーを使用した健康食品の開発が種々に試みられている。ところで、特開平１１−１６４６５９号公報は、小麦粉の臭みを消し麺類の腰、色、艶を良好ならしめた竹炭粉末入り麺類の製造を提案するものである。
【特許文献１】特開平１１−１６４６５９号
【考案の開示】
【考案が解決しようとする課題】
【０００３】
上記特開平１１−１６４６５９号公報は専ら臭みを消すためのものであるが、本考案は竹炭の健康食品たり得る栄養価が程良く発揮され、且つ見た目も違和感なく、しかも食べ易い乾麺を提供せんとするものである。
【課題を解決するための手段】
【０００４】
本考案は、小麦粉、食塩、かんすいなどの全体重量に対し、凡そ２％〜３％の竹炭パウダーを混入して練り合わせ製造される竹炭パウダー入りラーメンと、竹炭パウダーを入れないで製造される普通ラーメンとを、前者の１０％〜３０％、後者の９０％〜７０％の割合いで組合せたことを特徴とする。このさい、上記普通ラーメンは小麦粉、食塩、かんすい、くちなし、卵、乾燥卵白を練り合わせて製造されるものである。また、上記竹炭入りラーメンと、普通麺とを７０ｇ〜９０ｇの範囲で組合せ、一束の単位になされる。
【考案の効果】
【０００５】
竹炭は人間の身体に不足がちなカルシウム、カリウムなどのミネラルを備えているのであり、一方ラーメンは老若男女を問わず日本人の好物でもあることから、これを継続的に、或いは時々であっても食することにより、健康増進（有害物質を吸収して体外に排出する、下痢を抑え、腹の調子を整える、便の臭いを抑える、腸内をアルカリ性にして悪玉菌を減らす、マイナスイオンを供給し活性酸素をできにくくするなど）に資するものとなすのであり、即ち本考案製品の如く構成することにより食欲をそそりながら、効果的に体力増進に寄与することのできるものとなる。
なお、組合せてなる竹炭パウダー入りラーメンはカビの発生を防止可能にすることから、長期に亘る品質保存作用の発揮されるものともなるのである。
【考案を実施するための最良の形態】
【０００６】
図１は本考案で使用する竹炭パウダー入りラーメン１であり、該ラーメン１は小麦粉、食塩、かんすいなどの全体重量に対し凡そ２％〜３％の竹炭パウダーを混入して練り合わせ、従来方法により製造したものである。ここに、竹炭パウダーは竹材を１０００℃以上で蒸し焼きして得た竹炭を粉砕し、微細に粉末化したものである。
【０００７】
図２は本考案で上記竹炭入りラーメン１と組合せ使用する普通ラーメン２であり、該ラーメン２は小麦粉、食塩、かんすい、くちなし、卵、乾燥卵白などを練り合わせて製造されたものである。
【０００８】
図３は上記竹炭パウダー入りラーメン１と普通ラーメン２を一定の重量比で組合せ、一束の束製品３となしたものであり、本考案では竹炭パウダー入りラーメン１を普通ラーメン２に対し凡そ１０％〜３０％の割合で組合せて束ねるのである。具体的には従来に於ける一束の単位重量は８０ｇとなされるのであるが、このうちの１０％〜３０％程度を竹炭パウダー入りラーメン１とするのである。
ａは束帯である。
【０００９】
本考案に於ける上記の束製品３はどんぶり一人前の量とされるものであり、本考案品ではこれを茹麺になしたさい、黄色の普通麺の中へ竹炭パウダー入り麺が筋状の黒縞模様を形成するように顕出するのであり、見た目が大変綺麗であり、且つ同時に食欲をそそるものとなるのである。
【００１０】
なお、本考案者自身の数多実験結果から、又多くの人々に試食して貰った結果からして、上記の竹炭パウダー入り麺は全体の凡そ１０％〜３０％の範囲で組合せしたものが、外観上からも違和感なく且つ食欲感をそそる上で最も良いことがデータとして集計できたのである。
【図面の簡単な説明】
【００１１】
【図１】本考案で使用する竹炭パウダー入りラーメンである。
【図２】本考案で使用する普通ラーメンである。
【図３】本考案に係る組合せ製品である。
【符号の説明】
【００１２】
１      竹炭パウダー入りラーメン
２      普通ラーメン
３      本考案の束製品
【図１】
0003110251.tif 000003
【図２】
0003110251.tif 000004
【図３】
0003110251.tif 000005
(57)【要約】【課題】  小型のキーボタンでも押しやすく、かつ、文字が見やすくするための、補助グリップ付きキーボタンを提供する。【解決手段】  キー文字が書かれている上面を凹型にして、そこに透明の凸型でプラスチック製のグリップを設けることを特徴とする補助グリップ付きキーボタン。【選択図】  図１
0003110222.tif 000002
【実用新案登録請求の範囲】
【請求項１】
キー文字が書かれている上面を凹型にして、そこに透明の凸型でプラスチック製のグリップを設けることを特徴とする補助グリップ付きキーボタン。
【考案の詳細な説明】
【技術分野】
【０００１】  本考案は、小型のキーボタンでも押しやすく、かつ、文字が見やすくするための、補助グリップ付きキーボタンに関するものである。
【背景技術】
【０００２】  従来、携帯電話やノートパソコンなどの電子機器が小型化されてきて、それに伴いキーボタンも小型になってきたため、誤って近くのキーボタンもいっしょに押してしまったり、目が近眼の人などからはキーボタンの文字が見えにくいので、誤って押してしまったりしていた。
【考案の開示】
【考案を解決しようとする課題】
【０００３】  そのために次のような問題点があった。
（イ）携帯電話やノートパソコンなどの電子機器が小型化されてきて、それに伴いキーボタンも小型になってきたため、押しにくくなっていた。
（ロ）キーボタンが小型化されてきたことで、そのキーボタンの上に書いてある文字も小さくて読みにくくなっていた。
本考案は、以上の問題点を解決するためのものである。
【課題を解決するための手段】
【０００４】  キー文字が書かれている上面を凹型にして、そこに透明の凸型でプラスチック製のグリップを設ける。以上を特徴とする補助グリップ付きキーボタンである。
【考案の効果】
【０００５】  キーボタンが小さくても、指先に当たる箇所が凸型のグリップの頂点辺りになるため、誤って近くのキーボタンをいっしょに押す原因を防ぐことができる。凸型のグリップであるためにキーボタンの文字が拡大されて読みやすくなる。キーボタンにグリップを設けるため、滑りにくいことから操作性の向上がある。
【考案を実施するための最良の形態】
【０００６】  以下、本考案の実施の形態を説明する。
（イ）      キー文字が書かれている凹型にした上面（１）の外回りに、フック（２）を設ける。
（ロ）      透明の凸型でプラスチック製のグリップ（３）を、フック（２）にかかるようにはめ込む。
本案は以上のような構造で、これを使用するときは、キーボタンを押す場合、指先（４）でグリップ（３）の頂点辺りを押す。
【図面の簡単な説明】
【０００７】
【図１】本考案の断面図
【図２】本考案の使用状態を示す斜視図
【符号の説明】
【０００８】    １  上面
２  フック
３  グリップ
４  指先
【図１】
0003110222.tif 000003
【図２】
0003110222.tif 000004
(57)【要約】      （修正有）【課題】電磁波遮断材料を用いたスキミング防止のカード入れを提供する。【解決手段】電磁波を遮断する材料、例えば金属又はカーボンを用い、この電磁波遮断材料を薄板又は箔状として、繊維或は革と重合してカード入れとするか、或は繊維状として織成し、カード入れ用のポケットを成形することによってスキャナーによる透察を防止する。【選択図】図１
0003110224.tif 000002
【実用新案登録請求の範囲】
【請求項１】
電磁波遮断材料であるアルミ等の金属薄板を重合した布又は革で袋体を形成したキャッシュカード又はプリペードカード等の磁気カードを収納する盗察防止用のカード入れ。
【請求項２】
電磁波遮断材料である金属塗料を布又は革に塗布して袋体を形成したキャッシュカード又はプリペードカード等の磁気カードを収納する盗察防止用のカード入れ。
【請求項３】
電磁波遮断材料である金属繊維又はカーボン繊維を織り込んだ布を使用し、バックやカバン或は被服等のポケットを形成するキャッシュカード、プリペードカード等の磁気カードを収納する盗察防止用のカード入れ。
【考案の詳細な説明】
【技術分野】
【０００１】  本考案は、キャッシュカードやプリペードカードのような磁気カードに記載されている個人用の磁気番号の盗察を防止するカード入れに関する。
【特許文献１】  特開平７−３０８２１６号公報
【考案の開示】
【考案が解決しようとする課題】
【０００２】  キャッシュカードやプリペードカード等の磁気カードの個人用磁気番号を盗察して悪用する事件が多発している。この方法としては買物や飲食の際に支払いをするカードから直接読取器を使って磁気番号をコピーする方法が行われていた。【０００３】  しかし最近では、財布やカード入れに入れたまま、或はバックや服のポケットにカードを入れておいて、外側から盗察できるスキミング器が出現し、カード保持者は、知らないうちにカードの磁気番号を盗察されてカードを偽造される事件が発生している。
【課題を解決するための手段】
【０００４】  このカードの盗察に使用されるスキミング器は、電磁波を利用して透写するものであって、考案者は、この盗察の防止対策に対して鋭意研究を続けた結果、電磁波遮断材料を用いてカード入れを作り、これによって外側からの盗察を防ぐことに成功したものである。【０００５】  電磁波遮断材料としては金属又はカーボンを使用するもので、金属を薄板又は箔状として、布又は革と重合することによってカード入れとするか、被服やバック等のポケットとし、さらに金属又はカーボンは繊維状として織成し、同じようにカード入れや被服・バック等のポケットとして使用する。
【考案の効果】
【０００６】  上述のように、本考案のカード盗察防止は、買物や人混みの中で、カードを出さない知らないうちに外側から盗察用のスキナーを当てられ、透写をされてもカードが電磁波遮断材料によって保護されているため、カードの情報を阻止でき被害を未然に防ぐことができる。
【実施例】
【０００７】  添付図面により本考案の実施例を説明すると、図１は、名刺入れ型に成形したカード入れであって、（１）はカード入れ、Ａはカードを示す。Ｂは電磁波遮断材料の素材であって、図２以下図４に示すような素材によって構成される。【０００８】  図２は布又は革（３）に金属薄板又は金属箔（２）を重合した素材Ｂであり、図示にあっては重ね合せたものであるが、サンドイッチ状に構成されたものでも同様の効果を奏する。図３は布状の素材Ｂであり、カーボン繊維（４）と糸（５）とにより織成されている。図４は布又は革に電磁波材料を塗布した素材Ｂを示したものである。【０００９】  図５はハンドバックの内側にポケット状カード入れを設けた実施例図である。
【産業上の利用可能性】
【００１０】  本考案の盗察防止用の磁気カード入れ（１）は、通常のカード入れやポケットの形状であって素材Ｂを電磁波遮断材料によって形成されているため外観に変化ないため、身体につけても違和感がなく、磁気カードの盗察防止用としての利用度は大である。
【図面の簡単な説明】
【００１１】
【図１】  名刺入れ型のカード入れの斜視図
【図２】  重合した布状体の断面図
【図３】  織成した布状体の正面図
【図４】  塗布した布状体の実施例図
【図５】  ハンドバックの実施例図
【符号の説明】
【００１２】  （１）…成型体
（２）…金属薄板
（３）…電磁波遮断材による布又は革
（４）…電磁波遮断繊維
（５）…織糸
Ａ…カード
Ｂ…素材
【図１】
0003110224.tif 000003
【図２】
0003110224.tif 000004
【図３】
0003110224.tif 000005
【図４】
0003110224.tif 000006
【図５】
0003110224.tif 000007
(57)【要約】      （修正有）【課題】消毒をしながらブラッシングができる、ペットに不安感を与えない、消毒をする場所を選ばない、消毒剤の量が少ないので拡散が少ない、消毒しようとする場所をきめこまかにできるペットの消毒用ブラシを提供する。【解決手段】ブラシの中央部分に消毒剤噴霧穴６を設け、本体部分内に消毒剤の入ったスプレー３を内装しておき上部よりレバー８を押すことで必要量だけ消毒部分に噴霧する。【選択図】図２
0003110221.tif 000002
【実用新案登録請求の範囲】
【請求項１】
ペットに寄生する害虫の駆除や予防又は体臭の除去をするために、消毒剤を内装したスプレーのレバーを押すことによって、噴射し目的の場所を消毒するブラシ。
【考案の詳細な説明】
【０００１】  ペットの体に寄生する害虫などの駆除をするために、消毒剤入りのスプレーをブラシ本体に内装し、必要に応じてレバーを押し適量を噴射しながらブラッシングをする用具。
【背景技術】
【０００２】  一般的に使用されているブラシは型態や植毛の違いがあるが、大方はブラッシングだけの目的にしか使用しない。ペットを消毒ブラッシングをしようとする場合は、消毒剤を事前に目や、口などに入らないように注意しながら体毛の上から多量に散布するか、噴霧した後にブラッシングをして、体毛内に染みこませる、消毒目的達成するため２度の工程になる。
【考案の開示】
【考案が解決するための手段】
【０００３】  ペットの体を消毒しようとすると、不安に思って嫌がる。その不安を除くためブラシ本体に消毒剤の入ったスプレーを内装しておき、消毒したいと思う場所や毛根に噴霧し、目的の場所以外には、でき得るかぎり拡散させない。特に消毒しにくい場所に的確に少量の消毒剤を使用し、同時にブラッシングをすることができる。
【課題を解決するための手段】
【０００４】  ブラシの中央部分に消毒剤噴霧穴を設け、本体部分内に消毒剤の入ったスプレーを内装しておき上部よりレバーを押すことで必要量だけ消毒部分に噴霧する。
【考案の効果】
【０００５】  ペットを消毒する際に、危険を避けるため、場所を選び、他の部品に消毒剤が掛からない様に注意をしながら、体毛の上から多量の噴霧と、長時間かけ多くの拡散をしなければならなかった。本案はその必要がなく、直接地肌に少量の噴霧で充分であり、拡散することもなく、ブラッシングをしながら必要な部分を確実に消毒できる。
【実施例】
【０００６】  考案の図１は全体の斜視図である。図２は断面図である。図３は本体とブラシ部分との平面図である。
図１によって説明する（１）はブラシ本体（２）はスプレーを固定するとびら蓋である。（４）はブラシ部分（５）ブラシ毛体である（８）は本体に内装された消毒剤入りのスプレーの噴射レバー。図２の（３）は本体に内装された消毒剤入りスプレー（６）は噴射穴（７）はスプレーから噴射穴までのパイプ（９）はレバーのスプリング。
【産業上の利用可能性】
【０００７】
【図面の簡単な説明】
【０００８】［図１］本体とブラシ部分の関係を示したものである。
［図２］消毒剤入りスプレーとブラシ毛体と噴射穴、レバーとの関係を示したものである。
［図３］本体とブラシ部分ととびら蓋の関係を示したものである。
【符号の説明】
【０００９】１  本体
２  とびら蓋
３  スプレー
４  ブラシ
５  ブラシ毛体
６  噴射穴
７  消毒剤のパイプ
８  噴射レバー
９  スプリング
【図１】
0003110221.tif 000003
【図２】
0003110221.tif 000004
【図３】
0003110221.tif 000005
(57)【要約】      （修正有）【課題】通常のブラッシング（バス法など）によって、短い時間で、効果的に歯垢を落とし、また、歯肉へのマッサージも効果的におこなうことができる歯ブラシを提供する。【解決手段】歯ブラシのヘッド部に植毛されているブラシ毛１２が、途中で２枝に分枝していることを特徴とする２枝毛型歯ブラシ（ダブルブランチ・ブラシ）であるが、このダブルブランチ・ブラシのブラッシングによって、短い時間で、効果的に口腔内を清掃し、歯肉へのマッサージ効果も向上させることができる（ダブルブランチ効果）。【選択図】図１
0003110225.tif 000002
【実用新案登録請求の範囲】
【請求項１】
歯ブラシにおいて、歯ブラシのヘッド部に植毛されているブラシ毛が、途中で２枝に分枝していることを特徴とする２枝毛型歯ブラシ（ダブルブランチ・ブラシ）である。
【考案の詳細な説明】
【技術分野】
【０００１】本考案は、歯ブラシに係り、歯磨きの時に使用する歯ブラシのヘッド部に植毛されているブラシ毛が、途中で２枝に分枝していることを特徴とする、２枝毛型歯ブラシ（ダブルブランチ・ブラシ）に関するものである。
［背景技術］【０００２】従来、歯ブラシは種々のものが販売されているが、歯ブラシのブラシ毛は、単純な線状のものが設けられたものであった。
［考案の開示］
［考案が解決しようとする課題］【０００３】従来の歯ブラシは、歯ブラシのブラシ毛が単純な線状な物であるため、長い時間をかけて局所を歯磨きして歯垢を落とすのには適しているが、比較的に短い時間で最大限の清掃効果をあげるのは難しい。また、従来の歯ブラシでは、歯肉へのマッサージ効果も充分とは言えない。特に、小児の混合歯列期におけるブラッシングでは、従来の歯ブラシでは、これらの欠点が著名に出ると考えられる。
本考案は、これらの欠点を除くためになされたものである。
［課題を解決するための手段］【０００４】本考案は、歯ブラシに植毛されたブラシ毛が、途中で分枝した歯ブラシであるが、この分枝したブラシ毛で歯を磨くことによって、比較的に短時間で大きな清掃効果がえられまた、歯肉へのマッサージ効果も大きいものとなる。
［考案の効果］【０００５】上述のように、本考案は、従来型の単純な線状のブラシ毛を有する歯ブラシとは異なりブラシ毛の途中から分枝したブラシ毛を有する歯ブラシであり、この２枝毛型歯ブラシ（ダブルブランチ・ブラシ）で歯磨きをすることによって、比較的に短時間で大きな清掃効果と歯肉へのマッサージ効果がえられる（ダブルブランチ効果）。
特に、小児期のブラッシングにおいては、この効果により、不正咬合や叢生などの予防にもつながると考えられる。
［考案の実施するための最良の形態］【０００６】２枝に分枝したブラシ毛（ダブルブランチ・ブラシ）で歯磨きをすることにより、通常のブラッシング法（バス法など）の歯磨きによって、短時間で、バランス良く、大きな清掃効果と歯肉のマッサージ効果を得ることが可能である。
［実施例］【０００７】以下、この考案の実施例を添付図面に従って説明する。
図１から図４は、この考案の一実施例にかかる歯ブラシを示し、図１が同歯ブラシの毛束の正面図、図２がブラシ毛の正面図である。さらに、図３は、同歯ブラシのヘッド部の横面図、図４は、同歯ブラシの要部の正面図である。【０００８】図中、１１は、ヘッド部であり、この部位に円形状に植毛面１１ａが形成され、この植毛面１１ａにブラシ毛１２が複数の毛束１３に束ねられ植毛されている。【０００９】ブラシ毛１２は、図２に示すように、途中から分枝した２つの先鋭化形状のテーパ部１２ａと１２ｂとからなる、２枝型ブラシ毛（ダブルブランチ）である。
このブラシ毛は、所定の数に束ねられ、円形状の毛束１３を構成し、ヘッド部１１に植毛されている。尚、このブラシ毛は、ポリエステル等の合成樹脂の合成樹脂製  モノフィラメントから構成されている。
この毛束は、それぞれ、図１に示すように、その基端でヘッド部に溶着され、固着されている。【００１０】この実施例の歯ブラシにあっては、通常のブラッシング（バス法など）で、歯の歯間部や小禍列溝に至るまで、ダブルブランチ効果によって、短い時間で歯垢を効果的に除去し、歯肉へのマッサージ効果も向上する。【００１１】［図１］  本考案の歯ブラシの毛束の正面図である。
［図２］  本歯ブラシのブラシ毛の正面図である。
［図３］  本歯ブラシのヘッド部の横面図である。
［図４］  本歯ブラシの要部の正面図である。
【符号の説明】
【００１２】１１  ヘッド部
１１ａ  植毛部
１２  ブラシ毛
１２ａ  テーパ部
１２ｂ  テーパ部
１３  毛束
１３ａ  溶着部
２  把持部
【図１】
0003110225.tif 000003
【図２】
0003110225.tif 000004
【図３】
0003110225.tif 000005
【図４】
0003110225.tif 000006
(57)【要約】      （修正有）【課題】鑑賞用乾燥花に付加価値を付けて商品価値を上げる空気調整機能を有する乾燥花装置を提供する。【解決手段】乾燥花１，乾燥花１を植える容器２、容器２の中に目的によって詰める土壌がわりの物体３で構成する。即ち、空気中の臭いを除去する為には脱臭剤を、室内に心地よい香を放つには芳香剤を、室内の湿り気を取り去るには除湿剤をそれぞれ目的に応じて組み入れる。【選択図】図１
0003110223.tif 000002
【実用新案登録請求の範囲】
【請求項１】
乾燥花を植付ける土壌相当部に脱臭剤，芳香剤，除湿剤等の空気調整機能を有する物体を組み込んだことによって構成される乾燥花装置。
【考案の詳細な説明】
【考案の詳細な説明】
【考案が解決しようとする課題】
【０００１】  従来ドライフラワーと称される乾燥花は、色が褪せて触れると破損し見映えも悪く脆かった。しかし近年技術の向上によって生花の原色に近くて且花弁や葉等も強い乾燥花が製造されるようになってきた。これらの乾燥花は室内や車等において鑑賞用として花のみを飾るには価格の割に商品価値に不満が残っていた。本考案は生花より高額となる乾燥花に別の付加価値を加えて乾燥花の商品全体の価値を向上しようとするものである。
【課題を解決するための手段】
【０００２】  従来の装飾用の乾燥花の土壌部分相当の容器に脱臭剤を入れて組み合わせると、花の鑑賞をしつつ車の中やトイレット内や玄関や応接室等の室内の脱臭が促進され、又芳香剤を入れると今度は同様に心地よい香を感じ、又少し大きな乾燥花であれば植える容器も大きいため、ここに除湿剤を入れると除湿することが出来る。これによって乾燥花の植込み装置は多機能の価値を持ち商品価値として向上する。
【考案の実施形態】
【０００３】  以下本考案の実施形態について説明する。図１は本考案の説明図であり、１は乾燥花，２は乾燥花１を植える容器であり、３は容器２の中に目的によって詰める土壌がわりの物体である。即ち、空気中の臭いを除去する為には脱臭剤を、室内に心地よい香を放つには芳香剤を、室内の湿り気を取り去るには除湿剤をそれぞれ目的に応じて組み入れるものである。又図２は壁面等に掛ける形態のものであり、４は乾燥花、５は容器の平らな面、６は釣手、７は土壌がわりに詰める物体である。
【考案の効果】
【０００４】  それぞれ目的に応じた土壌がわりの物体を乾燥花の植え込まれる容器に組み込むことによって、鑑賞用の乾燥花装置により大きな商品価値を持たせることが出来、乾燥した生花に近い花の鑑賞と同時に室内の空気の調整も出来る。
【図面の簡単な説明】
【図１】  本考案の説明図である。
【図２】  本考案の容器の形態の異なる他の実施例の説明図である。
【符号の説明】
１………乾燥花
２………容器
３………土壌がわりの物体
４………乾燥花
５………容器の平らな面
６………釣手
７………土壌がわりの物体
【図１】
0003110223.tif 000003
【図２】
0003110223.tif 000004
(57)【要約】      （修正有）【課題】折り畳み傘の傘袋に車輪を設け、折り畳み傘を収納した状態で乗り物のおもちゃのように遊ぶことができる。【解決手段】折り畳み傘の傘袋１に回転する車輪２を設け、さらに折り畳み傘の柄３を乗り物の先頭を模した形状にし、折り畳み傘を傘袋に収納した状態でミニチュアサイズの乗り物のような見た目にし、乗り物のおもちゃのように走らせて遊べるようにした。【選択図】図１
0003110229.tif 000002
【実用新案登録請求の範囲】
【請求項１】
傘袋に入った状態の折り畳み傘全体の形を乗り物に見立て、傘袋に転がせる車輪を設け、乗り物のおもちゃのように転がして遊ぶことができることを特徴とする傘袋付き折り畳み傘。
【考案の詳細な説明】
【技術分野】
【０００１】  本考案は、折り畳み傘の傘袋に車輪を設け、さらに傘を収納した時に全体が乗り物の形に見える様、柄の部分を乗り物の形に形作った、折り畳み傘に関するものである。
【背景技術】
【０００２】  例えば、従来の折り畳み傘は傘を携帯し、雨が降ってきた時に使うだけだった。
【考案の開示】
【考案が解決しようとする課題】
【０００３】  突然の雨のために日ごろから折り畳み傘を携帯することは、こどもたちには定着していない。しかし、昨今の環境汚染の問題から、むやみに雨にあたることで身体に悪い影響が出る可能性は否定できず、このことからこどもたちこそ折り畳み傘を持つべきである。そこで、折り畳み傘の全体を乗り物に見立て、その傘袋に車輪を取り付け、こどもたちが進んで折り畳み傘を持ち歩きたくなるような、遊べる折り畳み傘を可能にしようとするものである。
【問題を解決するための手段】
【０００４】  本考案は、折り畳み傘の傘袋に車輪を設け、さらに傘の柄の部分を乗り物の先頭部分に似せた形に形作り、傘袋に傘を収納した状態で乗り物の形をしたおもちゃのように遊ぶことができる。
【考案の効果】
【０００５】  上述の様に、本考案の乗り物のおもちゃのように遊べる車輪付き折り畳み傘は、傘を傘袋に収納した状態で、乗り物の形をしたおもちゃと同じように走らせて遊ぶことが可能である。
【考案を実施するための最良の形態】
【０００６】  傘袋に車輪を設け、折り畳み傘の柄の部分を乗り物の先頭に似せた形状にし、傘を傘袋に収納した状態の全体をミニチュアサイズの乗り物の様にした。また、このとき車輪が回転可能なため、乗り物のおもちゃのように走らせて遊ぶことができる。
【実施例】
【０００７】  以下、添付図面に従って一実施例を説明する。１は塩化ビニール等適宜素材にて形成された傘袋、２はプラスチック等適宜素材にて形成された車輪、３はプラスチック等適宜素材にて乗り物の先頭部分に似せて形成された傘の柄部分である。【０００８】  本考案の一実施例は上記のごとき構成からなるものであるから、折り畳み傘を傘袋に収納した状態で、乗り物のミニチュアの様に走らせて遊ぶことが可能である。
【図面の簡単な説明】
【０００９】
【図１】本考案の乗り物のおもちゃのように遊べる車輪付き折り畳み傘の一実施例を示す右側面図である。
【図２】本折り畳み傘の傘袋をはずした状態の左面図である。
【図３】本折り畳み傘の具体的使用例のスケッチ図である。
【符号の説明】
【００１０】  １  傘袋
２  車輪
３  折り畳み傘の柄
【図１】
0003110229.tif 000003
【図２】
0003110229.tif 000004
【図３】
0003110229.tif 000005
(57)【要約】      （修正有）【課題】ティパック包装パッケージを開封後、カップにティパックを入れ、お湯等を注ぎ、ティパック包装パッケージを広げ、カップにかぶせ、十分にカップ内を蒸らす事ができる。そして使用中、受け皿にもなり、廃棄する際にはそのまま包む事ができる。【解決手段】ティパック包装パッケージの大きさを、カップを覆う為に十分な大きさにし、内側になる面には、湿気に強く、ある程度の形状を保つ事の可能な素材を使い、ティパック収納時には、折りたたみ、Ａを完全接着、Ｂを開封可能接着とする。ティパック開封時には、Ａ部分のみを切り取る事により、容易に本来の大きさに広げる事ができ、カップにかぶせ、十分に蒸らすことができる。必要に応じてティパック２と本体１は切り取る事により分離することができ、カップからの出し入れがしやすい。その上、ティパックの受け皿にもなり、使用後はそのまま包み廃棄することもできる。【選択図】図２
0003110230.tif 000002
【実用新案登録請求の範囲】
【請求項１】
広げると、カップを覆うために十分な大きになり、カップ内を蒸らす事ができる事を特徴とするティパック包装パッケージ。
【請求項２】
請求項１記載のティパック包装パッケージは、内側が湿気に強く、ある程度の形状を保つ事の可能な素材である事を特徴とするティパック包装パッケージ。
【請求項３】
請求項１記載のティパック包装パッケージは、ティパック収納時、折りたたみ、完全接着部分と開封可能接着部分により閉じられている事を特徴とするティパック包装パッケージ。
【請求項４】
請求項１記載のティパック包装パッケージは、本体とティパックを糸等で繋がれた形状の物であり又、取り外すことも可能であり、用途により使い分けられることを特徴とするティパック包装パッケージ。
【考案の詳細な説明】
【技術分野】
【０００１】  この考案は、飲料用に使用されているティパック等の包装に関する。
【背景技術】
【０００２】  美味しいお茶を飲むには、茶葉が本来持っている個性と香りを十分に引き出して飲みたいものである。現在は手軽なティパックという物があるが、その場合受け皿等で蓋をして蒸らすなどの工夫をしている。そして、従来多くのティパック包装パッケージは６，５〜７，５ｃｍ×１３〜１５ｃｍの大きさの物を折りたたみ、ティパック収納時は、およそ７．５ｃｍ×６．５ｃｍの大きさの物である
【考案の開示】
【考案が解決しようとする課題】
【０００３】  しかしながら、以上の技術によれば、ティパック包装パッケージは展開しても何の用途にも使えず、ティパックを取り出した後、包装パッケージは廃棄されるのみのものである。
そこで、この考案は、カップにかぶせ、蒸らす事ができ、ティパック使用後、受け皿になり、最後は包み廃棄できる、一石三鳥のティパック包装パッケージを提供することを課題とする。
【課題を解決するための手段】
【０００４】  以上の課題を解決するために、第一考案は、四角型、丸型、その他の形であり、大きさが、カップを覆うのに十分な大きさであることを特徴とするティパック包装パッケージである。
また、第二考案は、内側が、例えば、アルミコーティング素材のように、湿気に強く、ある程度の形状を保つ事の可能な素材であることを特徴とするティパック包装パッケージである。
また、第三考案は、例として図３及び図４に示すように折りたたみ、Ａの完全接着部分とＢの開封可能接着部分を特徴とするティパック包装パッケージである。
また、第四考案は、本体１とティパック２とを、糸等５で繋ぎ、７の切取り部分より取り外しが可能な事を特徴とする、ティパック包装パッケージである。
【考案の効果】
【０００５】  第一考案、及び第二考案によれば、ティパック包装パッケージを開封後、カップにティパックを入れ、お湯等を注ぎ、ティパック包装パッケージを広げ、カップにかぶせ、十分にカップ内を蒸らす事ができる。そして使用中、受け皿にもなり、廃棄する際にはそのまま包む事ができる。
また、第三考案によれば、ティパック包装パッケージの開封時、カップを覆うために必要な形に容易に開封できる。
また、第四考案によれば、使用中、ティパックがカップから出し入れがしやすい。
【考案を実施するための最良の形態】
【０００６】この考案の一実施形態を、図１及び図３に示す。
大きさはカップを覆う為に十分な大きさとし、内側は湿気に強く、ある程度の形状を保つ事が可能な素材であり、折りたたみ、ティパックを収納する。収納後ＡとＢを、それぞれの方法で接着する。【０００７】「実施形態の効果」
この実施形態によれば、今までに無かった、ティパックのカップのみでの蒸らし、が可能になる。従って、ポットで味わうような、美味しさを、手軽に味わうことが容易になる。そして、受け皿や廃棄用の包み紙にもなり、エコロジーである。【０００８】「他の実施形態」
図３の実施形態では、四つ折りであるが、他の実施形態では、例えば、図４に示すように、両端を内側に折込み、そのまま二つ折りにするなど、別の折り方でも良い。又、図３の実施形態では、完全接着部分の切り取り線は印刷のみであるが、他の実施形態では、点線や、切り込みを入れたものでも良い。
又、図２の６に示すように、ティパック包装パッケージの外側になる部分の一部に、指定の時間が来ると変色する塗料などを使用し、飲み頃を知らせる事のできるような物など、自由に装飾した物でも良い。
【図面の簡単な説明】
【０００９】
【図１】この考案の一実施形態を示す斜視図である。
【図２】この考案の使用時の斜視図である。
【図３】この考案の一実施形態を示す斜視図である。
【図４】この考案の他の実施形態を示す斜視図である。
【符号の説明】
【００１０】  Ａ  完全接着部分
Ｂ  開封可能接着部分
１  本体
２  ティパック
３  カップ
４  切り取り線
５  糸
６  お知らせサイン
７  切り取り線
【図１】
0003110230.tif 000003
【図２】
0003110230.tif 000004
【図３】
0003110230.tif 000005
【図４】
0003110230.tif 000006
(57)【要約】【課題】  本考案は室内に居ながら、片足で山登り運動を、もう片方で山くだり運動をする今まで経験のない、そして普段の散歩などで使う筋肉以外を刺激し、バランスの良い健康運動を行う。【解決手段】  左足でつま先くだり、右足でつま先上がりの靴を履き、歩行運動を行う。そして今度は左足でつま先上がり、右足でつま先くだりの靴を履き、歩行運動を行う。更には両方でつま先くだりや、両方でつま先上がりなど４種類の運動が出来る。【選択図】  図１
0003110226.tif 000002
【実用新案登録請求の範囲】
【請求項１】
靴やサンダルの靴底に相当するソール部の、片足をつま先部分を高くし、かかと部分が低くなる山登り運動、もう片方を反対に、つま先部分を低くし、かかと部分を高くした山くだり運動が出来る、つまり左右のソール部の傾斜が逆になったことを特徴とする靴やサンダル。
【考案の詳細な説明】
【技術分野】
【０００１】  本案件は、左右のソールの傾斜角を逆にした健康促進用の靴に関するものである。
【背景技術】
【０００２】  従来のアイデアの中には両足ともつま先上がりの靴はあるが、１足で山登り運動と山くだり運動ができるものはない。
【考案の開示】
【考案が解決しようとする課題】
【０００３】  現代人の運動不足解決のため、室内にての軽度の歩行により、普段使わない筋肉を刺激し、効果的にバランスよく運動させることを課題としている。
【課題を解決するための手段】
【０００４】  本考案は片足はつま先上がりの山登り運動を行い、もう片方はつま先下がりの山くだり運動を行う。左右のソール部が逆になっているため、普段経験したことのない運動神経を刺激してくれる。
【考案の効果】
【０００５】  本考案により、片足で山登り運動、もう片足で山くだり運動をする動作は日常の運動作用の中では経験することは出来ず、右足と左足が逆の運動を行うという新しい経験により、より高い運動効果が得られる。
【考案を実施するための最良の形態】
【０００６】  本考案により、右足をつま先上がりの靴、左足をつま先くだりの靴をはき歩行運動を始めたり、右足をつま先くだりの靴、左足をつま先上がりの靴に履き替え歩行を行う。更には両方ともつま先上がりで歩行したり、両方ともつま先くだりの歩行をすることもできる。全部で４種類の運動を行うことが出来る。このためには右足用でつま先上がりと、つま先くだりの２種類、左足用でつま先上がりと、つま先くだりの２種類で、２足分の靴が必要となる。
【実施例】
【０００７】  以下、添付図面に従って実施例を説明する。図１は左足をつま先くだりの靴、右足をつま先上がりの靴を履き歩行運動をしている図。図２は左足をつま先上がり、右足をつま先くだりの靴を履き歩行運動をしている図。図３は両方ともつま先くだりの図。図４は両方ともつま先上がりの図。
【図面の簡単な説明】
【０００８】
【図１】左足はつま先くだり、右足はつま先上がりの靴を履いている。
【図２】左足はつま先上がり、右足はつま先くだりの靴を履いている。
【図３】両足ともつま先くだりの靴を履いている。
【図４】両方ともつま先上がりの靴を履いている。
【符号の説明】
【０００９】角度Ａは１０度から４０度。
【図１】
0003110226.tif 000003
【図２】
0003110226.tif 000004
【図３】
0003110226.tif 000005
【図４】
0003110226.tif 000006